(57)【要約】【課題】カバーの着脱が容易であり、かつ衝撃等による意図しない脱落を防止する電子機器カバーのロック構造を、安価かつ単純な構造で提供する。【解決手段】携帯電話機（電子機器、携帯通信機器）の筐体本体１に設けた電池収納部２（開口部）と、電池収納部２を覆う電池カバー３と、電池カバー３を筐体本体１にロックさせるための第１垂直ロック手段（鉤部８、外側突起１１）及び第２垂直ロック手段（垂直方向係止爪７、内側突起１２）とを設ける。第１及び第２垂直ロック手段を電池カバー３又は筐体本体１の複数箇所に一体成型し、それぞれ異なる方式でカバー３を筐体本体１にロックするように構成する。【選択図】図６
2007335201.tif 000002
【特許請求の範囲】
【請求項１】
電子機器の筐体本体に設けた開口部と、該開口部を着脱自在に覆うカバーと、該カバーを筐体本体にロックさせるためのロック手段とを備える電子機器カバーのロック構造であって、
上記ロック手段は、上記カバー又は筐体本体の複数箇所に一体成型され、それぞれ異なる方式でカバーを筐体本体にロックするように構成されている
ことを特徴とする電子機器カバーのロック構造。
【請求項２】
請求項１に記載の電子機器カバーのロック構造において、
上記カバーは、ある一方向への移動と、それとは異なる方向への移動とを順に行うことで筐体本体より離脱するように構成され、
上記二方向の動作のそれぞれに対してロック手段を備えている
ことを特徴とする電子機器カバーのロック構造。
【請求項３】
請求項２に記載の電子機器カバーのロック構造において、
上記カバーは、開口部に対してスライド可能に構成され、
上記カバーをスライドさせた状態でスライド方向に対して垂直な方向に引き抜くことで筺体本体より離脱するように構成され、
上記スライド動作に対して水平ロック手段を備え、上記垂直方向への引き抜き動作に対して垂直ロック手段を備えている
ことを特徴とする電子機器カバーのロック構造。
【請求項４】
請求項３に記載の電子機器カバーのロック構造において、
上記垂直ロック手段は、２つのロック手段で構成され、
第１垂直ロック手段がロック状態にあるときには、第２垂直ロック手段は解除状態にあり、
上記第１垂直ロック手段が解除されると同時に上記第２垂直ロック手段がロックされるように構成されている
ことを特徴とする電子機器カバーのロック構造。
【請求項５】
請求項４に記載の電子機器カバーのロック構造において、
上記開口部の周縁にガイド孔が配設され、
上記カバーには、上記ガイド孔に挿入され、上記垂直方向に延びる垂直方向係止爪が突設され、
上記第１垂直ロック手段は、上記垂直方向係止爪に設けた鉤部と、上記ガイド孔に設けられ、カバー装着時に上記垂直方向から見て該鉤部と重なり合う第１突起とで構成され、
上記第２垂直ロック手段は、上記垂直方向係止爪と、上記ガイド孔に設けられ、カバーがスライド移動されて上記第１垂直ロック手段が解除されると同時に該垂直方向係止爪に当接して、カバーを筐体本体にロックする第２突起とで構成されている
ことを特徴とする電子機器カバーのロック構造。
【請求項６】
請求項５に記載の電子機器カバーのロック構造において、
上記開口部の周縁の左右両側に上記ガイド孔がそれぞれ複数配設され、
上記複数のガイド孔のうち、一部にのみ上記第２垂直ロック手段が設けられている
ことを特徴とする電子機器カバーのロック構造。
【請求項７】
請求項３乃至６のいずれか１つに記載の電子機器カバーのロック構造において、
上記水平ロック手段は、開口部の周縁又はカバー裏面の一方に設けた突起と、他方に設けられ、該突起に嵌合して、カバーをスライド不能とする凹部とからなる
ことを特徴とする電子機器カバーのロック構造。
【請求項８】
請求項１乃至７のいずれか１つに記載の電子機器カバーのロック構造において、
上記カバーのスライド取出方向基端には、上記開口部の周縁の係止用溝に挿入される係止用つばが形成されている
ことを特徴とする電子機器カバーのロック構造。
【請求項９】
請求項１乃至８のいずれか１つに記載の電子機器カバーのロック構造において、
上記開口部は内部に電池を収納する電池収納部であり、
上記カバーは該電池収納部を覆う電池カバーである
ことを特徴とする電子機器カバーのロック構造。
【請求項１０】
請求項１乃至９のいずれか１つに記載の電子機器カバーのロック構造において、
携帯通信機器である
ことを特徴とする電子機器カバーのロック構造。
【発明の詳細な説明】
【技術分野】
【０００１】
本発明は、電子機器筐体の開口部を覆う着脱自在のカバーを筐体本体に対してロックするための電子機器カバーのロック構造に関するものである。
【背景技術】
【０００２】
従来より、携帯電話機等や個別選択呼出受信機のように電池を電源とする電子機器では、筐体本体の一部に電池収納部を設け、この電池収納部を覆うカバーを着脱して電池交換が行われるように構成されている。この場合、装着したカバーが筐体本体から不意に外れることがないように、カバーにはロック構造を付設することが行われている（例えば、特許文献１乃至４参照）。
【０００３】
特許文献１では、電子機器の筐体本体に設けた開口部と、この開口部に装着されるカバーと、このカバーを筐体本体にロックさせるためのロック手段とを備えるロック構造が開示されている。このロック手段は、筐体本体に設けたスリットにより区画されてその厚さ方向に弾性変形されるロック部材取付部と、このロック部材取付部に支持され、開口部に装着されたカバーの一部に係合されてカバーが開口部から離脱されることを係止するためのロック部材とを備え、ロック部取付部を弾性変形させたときにロック部材がカバーとの係合状態から解除されるように構成し、カバーを着脱する際の操作性を改善すると共に、ロック構造の小型化を図っている。
【０００４】
特許文献２では、電源スイッチを３ポジションのスライドスイッチとし、少なくとも２箇所の突起を有するつまみがスライドして脱着される電池の電池蓋に３ポジション中２ポジションで係合して電池の電池蓋のスライドをロックする電池蓋ロック構造が開示されている。この電池蓋ロック構造により、不意にロック解除状態になるのを防止している。
【０００５】
特許文献３では、電子機器装置の電池収納部におけるケース体と電池カバーとのロック機構が開示されている。ケース体の係合リブと電池カバーの係合爪とはその嵌合係止する面に傾斜面と垂直面とから隙間が形成されている。このことで、成型寸法のばらつきを吸収してカバーを確実に嵌合係止するようにしている。
【０００６】
特許文献４では、開口部を有するケース本体と、開口部を覆う蓋部と、ロック爪部を端部に有してケース本体と蓋部とのうち一方に設けたロック爪片と、ケース本体と蓋部とのうち他方に設けられてロック爪部とかみ合う爪部と、ケース本体と蓋部とのうち少なくとも一方に設けられたロック爪片の近傍に形成される溝部とを備えた収納装置が開示されている。溝部を通じてロック爪片を押下してロック爪部と爪部とのかみ合わせを解くことでケース本体から容易に蓋部を外すように構成されている。また、電池カバーの嵌合爪の支持部に板バネを用いることによって信頼性の向上を図っている。
【０００７】
図８及び図９は、従来のロック構造の一例であり、携帯電話機の本体１０１の裏面に開口を設け、この開口内部を電池収納部１０２として電池を収納している。また、この電池収納部１０２を覆う電池カバー１０３を上記本体１０１とは別体に設けておき、このカバー１０３の内面の両側に沿って複数のガイド片１０７を延設し、このガイド片１０７を上記電池収納部１０２の両側縁のガイド穴１０４に挿入した後、段部１０１ａに沿って案内させ、ガイド穴１０４の抜け止め部分に引っ掛けることで、垂直方向への抜け止めとしている。電池カバー１０３のロック構造を実現するために、電池カバー１０３に本体１０１と嵌合する嵌合爪１１０を形成している。この嵌合爪１１０が本体１０１の被嵌合部１０６に嵌合されることにより、電池カバー１０３が電池収納部１０２に沿ってスライドすることが規制され、電池カバー１０３の脱落が防止される。また、取り外す際は嵌合爪１１０と被嵌合部１０６との嵌合を解除する方向に力を加えながら、電池カバー１０３を電池収納部１０２に沿ってスライドさせ、ガイド片１０７をガイド穴１０４から引き出すことで、電池カバー１０３を本体１０１から取り外すことが可能とされる。
【０００８】
図１０は従来のロック構造のうち、上記の構造とは別の例を示し、電池カバー２０３のロック構造を実現するために、電池収納部２０２の一方の側縁にロック溝２０４を形成し、このロック溝２０４内に手操作によって側縁と直交する方向に移動可能なロック部材２０７を内装している。このロック部材２０７を電池収納部２０２内に向けて押し込む操作をすると、ロック部材２０７が電池カバー２０３に設けた切欠部２１９に嵌入され、これにより電池カバー２０３が電池収納部２０２に沿ってスライドすることを規制し、電池カバー２０３の脱落が防止される。また、取り外す際はロック部材２０７を電池カバー２０３の反対方向に手操作し、ロック部材２０７を電池カバー２０３の切欠部２１９より抜き出すことにより、電池カバー２０３のスライドを可能とし、本体２０１から取り外すことが可能とされる。
【特許文献１】特開平９-７５６６号公報
【特許文献２】特開平９-３２６５７０号公報
【特許文献３】特開平１１-２８８７００号公報
【特許文献４】特開２００３-３２３８７２号公報
【発明の開示】
【発明が解決しようとする課題】
【０００９】
しかしながら、このような従来のロック構造のうち、嵌合爪１１０を被嵌合部１０６に嵌合することによって電池カバー１０３をロックする方法は、機器を落下させた際に受けるような衝撃よってロックが解除されると簡単に電池カバー１０３が脱落するという問題がある。そこで脱落を防止するために嵌合爪１１０と被嵌合部１９との嵌合力を強化しすぎると、電池カバー１０３の取り外しが困難になる。この問題点は、ロック手段が１つしか設けられていない特許文献１及び３についても同様にいえ、カバーを何度も着脱しているうちにさらに外れやすくなるという問題がある。
【００１０】
一方、ロック部材２０７を用いる方法や特許文献１、２及び４では、ロック部材を内装するスペースが必要となるとともに、ロック機構の構造が複雑となり、小型化、薄型化を要求される電子機器においては設計、デザイン上の自由度が低下する。また、部品点数が増加することとなり部品単価、組立作業などの点から製造コストの増加要因となる。引用文献４においては、カバーを取り外す際に別部材が必要となり、さらに部品点数の増加を伴うという問題がある。
【００１１】
本発明は、かかる点に鑑みてなされたものであり、その目的とするところは、カバーの着脱が容易であり、かつ衝撃等による意図しない脱落を防止する電子機器カバーのロック構造を、安価かつ単純な構造で提供することにある。
【課題を解決するための手段】
【００１２】
上記の目的を達成するために、この発明では、ロック手段をカバー又は筐体本体に複数一体成型した。
【００１３】
具体的には、第１の発明では、電子機器の筐体本体に設けた開口部と、該開口部を着脱自在に覆うカバーと、該カバーを筐体本体にロックさせるためのロック手段とを備えるロック構造を対象とする。
【００１４】
そして、上記ロック手段は、上記カバー又は筐体本体の複数箇所に一体成型され、それぞれ異なる方式でカバーを筐体本体にロックするように構成されている。
【００１５】
上記の構成によると、電池カバーを筐体本体に固定するロック構造をカバー又は筐体本体に複数一体成型したため、安価かつ単純な構造でロック構造が構成されると共に、１つのロック手段が解除されても、他のロック手段が解除されない限りカバーが外れることはないので、電池カバーの意図しない脱落が防止される。
【００１６】
第２の発明では、上記カバーは、ある一方向への移動と、それとは異なる方向への移動とを順に行うことで筐体本体より離脱するように構成され、
上記二方向の動作のそれぞれに対してロック手段を備えている。
【００１７】
上記の構成によると、複数の方向へカバーを移動させて、それぞれロック手段を解除しない限りカバーが外れないので、落下等の衝撃を受けた場合でも、容易にカバーが外れることはない。
【００１８】
第３の発明では、上記カバーは、開口部に対してスライド可能に構成され、
上記カバーをスライドさせた状態でスライド方向に対して垂直な方向に引き抜くことで筺体本体より離脱するように構成され、
上記スライド動作に対して水平ロック手段を備え、上記垂直方向への引き抜き動作に対して垂直ロック手段を備えている。
【００１９】
上記の構成によると、落下等の衝撃を受けて水平ロック手段のロックが解除されてカバーがスライド方向に移動したとしても、その垂直方向にもカバーを移動させて垂直ロック手段を解除しなければ、カバーが外れないので、落下等が発生しても、容易にカバーが外れることはない。
【００２０】
第４の発明では、２つのロック手段を備え、
上記垂直ロック手段は、２つのロック手段で構成され、
第１垂直ロック手段がロック状態にあるときには、第２垂直ロック手段は解除状態にあり、
上記第１垂直ロック手段が解除されると同時に上記第２垂直ロック手段がロックされるように構成されている。
【００２１】
上記の構成によると、第１垂直ロック手段のロックが解除されると同時に第２垂直ロック手段のロックが発効するというように、それぞれが順にロック効果を発揮するため、個々のロック構造を強固にする必要がなく、したがって開閉動作の荷重が上がって動作が困難となることがない。
【００２２】
第５の発明では、上記開口部の周縁にガイド孔が配設され、
上記カバーには、上記ガイド孔に挿入され、上記垂直方向に延びる垂直方向係止爪が突設され、
上記第１垂直ロック手段は、上記垂直方向係止爪に設けた鉤部と、上記ガイド孔に設けられ、カバー装着時に上記垂直方向から見て該鉤部と重なり合う第１突起とで構成され、
上記第２垂直ロック手段は、上記垂直方向係止爪と、上記ガイド孔に設けられ、カバーがスライド移動されて上記第１垂直ロック手段が解除されると同時に該垂直方向係止爪に当接して、カバーを筐体本体にロックする第２突起とで構成されている。
【００２３】
上記の構成によると、第１及び第２ロック手段が簡単な構成でカバー又は筐体本体にそれぞれ形成されるので、安価かつ単純なロック構造が得られる。
【００２４】
第６の発明では、上記開口部の周縁の左右両側に上記ガイド孔がそれぞれ複数配設され、
上記複数のガイド孔のうち、一部にのみ上記第２垂直ロック手段が設けられている。
【００２５】
上記の構成によると、一部のガイド孔にのみ第２垂直ロック手段を設けることで、全てに第２垂直ロック手段を設ける場合に比べ、第２垂直ロック手段を解除してカバーを取り外すのが容易となる。
【００２６】
第７の発明では、上記水平ロック手段は、開口部の周縁又はカバー裏面の一方に設けた突起と、他方に設けられ、該突起に嵌合して、カバーをスライド不能とする凹部とからなる。
【００２７】
上記の構成によると、水平ロック手段の突起が凹部に嵌合することで、カバーがスライド不能となり、カバーの装着状態が保持される。仮に落下等により、この水平ロック手段による規制が解除されても第２垂直ロック手段によりカバーが外れるのが防止される。
【００２８】
第８の発明では、上記カバーのスライド取出方向基端には、上記開口部の周縁の係止用溝に挿入される係止用つばが形成されている。
【００２９】
上記の構成によると、カバーの装着状態でその基端側が係止用溝に係止された係止用つばにより、カバーがスライド取出方向と垂直方向に抜け出すのが防止される。仮に落下等により、この係止用つばによる規制が解除されても第２垂直ロック手段によりカバーが外れるのが防止される。
【００３０】
第９の発明では、上記開口部は内部に電池を収納する電池収納部であり、
上記カバーは該電池収納部を覆う電池カバーである。
【００３１】
上記の構成によると、電池カバーは、頻繁に着脱が繰り返されるが、ロック手段を複数備えることにより、落下等が発生しても容易に電池カバーが外れることはなく、何度もカバーの取り外しを行っても、外れやすくなることはない。
【００３２】
第１０の発明では、電子機器は、携帯通信機器とする。
【００３３】
上記の構成によると、携帯通信機器は、持ち運ぶ回数が多く、落下等の衝撃を受けやすいが、ロック手段を複数備えることにより、落下等が発生しても容易に電池カバーが外れることはない。
【発明の効果】
【００３４】
以上説明したように、本発明は、カバーを筐体本体に固定するロック構造を複数備えているため、カバーの意図しない脱落を防止することができる。
【００３５】
つまり、電子機器が落下等の衝撃を受け、意図せずにカバーがスライドし、スライド方向のロックが解除された場合にも、それと同時にスライド方向に対して垂直な方向へのロックが発効し、カバーが容易に脱落するのを防止することができる。
【００３６】
また、カバーを固定するロック構造は、１つのロックが解除されると同時に他のロックが発効するというように、それぞれが順にロック効果を発揮するため、個々のロック構造を強固にする必要がなく、したがって開閉動作の荷重が上がって動作が困難となるのを防ぐことができる。
【００３７】
また、本発明は、ロック構造をカバー又は筐体本体に一体成型しているので、ロック手段によって電子機器を小型化する際の障害となることはなく、かつロック手段を小型化した場合でもその操作性を向上させる効果を保つことができる。
【００３８】
さらに、本発明の効果を得るにあたっては、それぞれ一体成型された筐体本体及び電池カバーのみで構成でき、他に部品を追加する必要がないため、部品そのものや組立作業が増えることによるコストの増大は発生せず、また構造が単純であるため、構造の破壊、故障を防ぐことができる。
【発明を実施するための最良の形態】
【００３９】
以下、本発明の実施形態を図面に基づいて説明する。
【００４０】
図１は、本発明の実施形態にかかる電子機器（携帯通信機器）としての携帯電話機２０の表面側を上側から見た斜視図である。図２は、携帯電話機２０の裏面側を上側から見た斜視図である。この携帯電話機２０の外観を構成する樹脂成型品の筐体本体１の裏面下側には平面視矩形状の開口が設けられ、この開口は内部に電池（図示せず）を収納するための電池収納部２として構成されている。この電池収納部２を覆うように、略矩形板状の樹脂成型品である、電子機器カバーとしての電池カバー３が上記筐体本体１に対して嵌合する構成となっている。本実施形態では、電池カバー３は、筐体本体１の裏側の全体を覆っているが、電池収納部２のみを覆うように構成してもよい。
【００４１】
図２に示すように、筐体本体１には、その周縁に電池カバー３を受けるため、下辺を除く外周全体に連続する平坦な受け面１ａが形成されている。この左右の受け面１ａの左右内側には、それぞれ２つのガイド孔４が配設されている。この左右の２つのガイド孔４の間には、スライドロック用突起５が左右外側に向けて若干突出するように設けられている。図２にＡ部を拡大して示すように、このスライドロック用突起５の外面は、曲面状に丸められている。このスライドロック用突起５の突出量で、カバー装着状態における電池カバー３の筐体本体１の下側から上側に向かう、電池カバー３を取り外す際にスライドさせる方向であるスライド取出方向Ｓ（各図に矢印Ｓで示す）の移動を規制する力を調整することができる。スライド取出方向Ｓ基端側（筐体本体１の下側）には、幅方向（左右方向）に延びる係止用溝６が形成されている。この係止用溝６から上側へ延びるように平坦部６ａが凹陥されている。
【００４２】
図３は、上記電池カバー３裏面を上側から見た斜視図である。電池カバー３の周縁には、上記受け面１ａに当接する平坦な当接面３ａが、スライド取出方向Ｓ基端側を除く部分に連続して形成されている。左右両側の当接面３ａの内側には、上記ガイド孔４に挿入される垂直方向係止爪７がスライド取出方向Ｓに垂直に延びるように突設されている。図３にＢ部を拡大して示すように、この垂直方向係止爪７先端外面におけるスライド取出方向Ｓ側には、外側に突き出た鉤部８が一体成型されている。また、Ｃ部を拡大して示すように、当接面３ａにおける、上記スライドロック用突起５に対応する位置には、該スライドロック用突起５が電池カバー３のスライド取出方向Ｓに移動するのを規制するロック用突起嵌合用凹部９が一体成型されている。図５に示すように、ロック用突起嵌合用凹部９の下側（スライド取出方向Ｓと反対側）には、スライドロック用突起５をロック用突起嵌合用凹部９に挿入しやすくするためのテーパ面９ａが形成されている。これらスライドロック用突起５とロック用突起嵌合用凹部９とで水平ロック手段が構成されている。なお、スライドロック用突起５をカバー３側に、ロック用突起嵌合用凹部９を筐体本体１側にそれぞれ設けてもよい。
【００４３】
図３に示すように、電池カバー３のスライド取出方向Ｓ基端中央には、上記平坦部６ａ上をスライド移動し、係止用溝６に挿入されて電池カバー３がスライド取出方向Ｓと垂直方向に抜け出すのを規制する水平係止用つば１０が水平に延びるように突設されている。
【００４４】
図４は、筐体本体１の裏面から見て左側に設けた上記ガイド孔４の内部を拡大して示した図である。なお、右側に設けたガイド孔４も同じ構成を備えている。ガイド孔４の外壁側面４ａには、垂直方向係止爪７をガイド孔４にスライド取出方向Ｓと垂直な方向に挿入するときに鉤部８に接触しないように、第１突起としての外側突起１１が左右内側方向へ突設されている。外側突起１１のスライド取出方向Ｓには、テーパ面１１ａが形成されている。これら鉤部８と外側突起１１とで第１垂直ロック手段が構成されている。
【００４５】
また、ガイド孔４の内側側面４ｂのスライド取出方向Ｓ側には、スライド取出方向Ｓに向かってガイド孔４の幅が狭くなるように、第２突起としての内側突起１２が左右外側に向けて突出するように形成されている。この内側突起１２は、全てのガイド孔４に設けてもよく、下側の左右のガイド孔４にのみ設けてもよい。下側のガイド孔４にのみ第２垂直ロック手段を設けることで、全てに第２垂直ロック手段を設ける場合に比べ、第２垂直ロック手段を解除してカバー３を取り外すのが容易となる。このように内側突起１２の個数を調整することにより、電池カバー３の取り外し時の外しやすさと、落下時の外れ防止の効果の強度調整をすることができる。上記垂直方向係止爪７と内側突起１２とで第２ロック手段が形成されている。
【００４６】
また、上記係止用溝６と、水平係止用つば１０とで、第１垂直ロック手段を補強する第３垂直ロック手段が構成されている。
【００４７】
−電池カバーの取り付け及び取り外し動作−
次に、電池カバー３の取り付け動作について説明する。
【００４８】
まず、図７に示すように、電池カバー３の垂直方向係止爪７の鉤部８が筐体本体１のガイド孔４の外側突起１１に接触しないようにし、かつ、垂直方向係止爪７の内側面を内側突起１２に当接させながら、垂直方向係止爪７をガイド孔４に圧入し、水平係止用つば１０を平坦部６ａ上に当接させる。
【００４９】
次いで、図５（ａ）に示す状態のカバー３をその上端を押さえながらスライド取出方向Ｓと反対側にスライドさせ、電池カバー３及び筐体本体１を弾性変形させながら、スライドロック用突起５をテーパ面９ａを乗り越えさせ、図５（ｂ）に示すように、ロック用突起嵌合用凹部９に嵌め込む。このことで、水平ロック手段により、電池カバー３のスライド取出方向Ｓの移動が規制される。
【００５０】
このように電池カバー３が完全に取り付けられた状態では、図６に示すように、電池カバー３の垂直方向係止爪７に突設された鉤部８と筐体本体１のガイド孔４内部の外側突起１１とがスライド取出方向Ｓに対して垂直な方向から見て重なる位置に移動される（図６（ａ）に斜線で示す）。つまり、第１垂直ロック手段により、電池カバー３が筐体本体１に垂直方向にロックされている。垂直方向係止爪７と内側突起１２とは当接せず、第２垂直ロック手段は解除されている。また、第３垂直ロック手段としての水平係止用つば１０が電池収納部２の係止用溝６内に挿入される。このことで、電池カバー３の電池収納部２の上方に向けての変位が拘束される。このようにして、水平ロック手段と、第１及び第３垂直ロック手段とでロックされ、かつ第２垂直ロック手段は解除された状態で電池カバー３が堅固に筐体本体１に取り付けられる。
【００５１】
次に、電池カバーの取り外し動作について説明する。
【００５２】
まず、図５（ｂ）の状態にある電池カバー３を筐体本体１に対してスライド取出方向Ｓに移動させるように力を加え、電池カバー３及び筐体本体１を弾性変形させ、図５（ａ）に示すように、水平ロック手段としてのスライドロック用突起５とロック用突起嵌合用凹部９との嵌合を解消する。このとき、図７（ａ）に示すように、鉤部８と外側突起１１とは、スライド取出方向Ｓに対して垂直な方向から見て重ならない位置に移動する。つまり、第１垂直ロック手段は解除される。水平係止用つば１０は、係止用溝６から抜け出し、平坦部６ａ上に位置する。このことで、水平ロック手段によるスライド取出方向Ｓの変位に対する拘束と、第１及び第３垂直ロック手段による垂直方向への変位に対する拘束とが解除される。
【００５３】
しかしながら、図７（ｂ）に示すように、電池カバー３がスライド移動すると同時に、電池カバー３の裏面の左右両側に突設された垂直方向係止爪７の内側側面が筐体本体１のガイド孔４の内壁に形成された内側突起１２に乗り上げることにより、左右の両垂直方向係止爪７が外側に押し広げられ（同図には、変形前の重なる部分を斜線で示している）、電池カバー３の垂直方向係止爪７と筐体本体１の内側突起１２との間に摩擦力が生じる。つまり、第２垂直ロック手段によって電池カバー３が筐体本体１にロックされる。これにより、スライド取出方向Ｓに対して垂直な方向に電池カバー３を変位させる外力が加わらない限り、カバー３は筐体本体１から外れることはない。
【００５４】
したがって、水平ロック手段、第１及び第３垂直ロック手段による電池カバー３のスライド取出方向Ｓのロックが外れてしまった場合にも、第２垂直ロック手段によりロックされているので、電池カバー３は筐体本体１から容易に脱落することはない。すなわち、落下などの衝撃による電池カバー３の意図しない脱落を防止することが可能となる。
【００５５】
電池カバー３を完全に取り外すときには、垂直方向係止爪７と内側突起１２との間の摩擦力に抗して電池カバー３の基端側を引き上げて取り外せばよい。
【００５６】
−実施形態の効果−
したがって、本実施形態にかかる電子機器カバーのロック構造によると、電池カバー３を筐体本体１に固定するロック構造を複数備えているため、電池カバー３の意図しない脱落を防止することができる。つまり、携帯電話機２０が落下等の衝撃を受け、意図せずに電池カバー３がスライドし、水平ロック手段、第１及び第３垂直ロック手段が解除された場合にも、それと同時に第２垂直ロック手段が発効し、カバー３が容易に脱落するのを防止することができる。
【００５７】
また、電池カバー３を固定するロック構造は、１つのロックが解除されると同時に他のロックが発効するというように、それぞれが順にロック効果を発揮するため、個々のロック構造を強固にする必要がなく、したがって開閉動作の荷重が上がって動作が困難となるのを防ぐことができる。
【００５８】
また、本実施形態では、全てのロック構造を電池カバー３又は筐体本体１に一体成型しているので、ロック手段によって携帯電話機２０を小型化する際の障害となることはなく、かつロック手段を小型化した場合でもその操作性を向上させる効果を保つことができる。
【００５９】
さらに、本実施形態の効果を得るにあたっては、それぞれ一体成型された筐体本体１及び電池カバー３のみで構成でき、他に部品を追加する必要がないため、部品そのものや組立作業が増えることによるコストの増大は発生せず、また構造が単純であるため、構造の破壊、故障を防ぐことができる。
【００６０】
カバー３を電池収納部２を着脱自在に覆う電池カバー３としたことにより、電池カバー３は、頻繁に着脱が繰り返されるが、ロック手段を複数備えることにより、落下等が発生しても容易に電池カバー３が外れることはなく、何度もカバー３の取り外しを行っても、外れやすくなることはない。
【００６１】
電子機器を携帯電話機１等の携帯通信機器としたことにより、携帯通信機器は、持ち運ぶ回数が多く、落下等の衝撃を受けやすいが、ロック手段を複数備えることにより、落下等が発生しても容易に電池カバー３が外れることはない。
【００６２】
（その他の実施形態）
本発明は、上記実施形態について、以下のような構成としてもよい。
【００６３】
すなわち、上記実施形態では、第３垂直ロック手段として、上記係止用溝６と、水平係止用つば１０とを設けているが、必ずしもこの第３垂直ロック手段を設けなくてもよい。
【００６４】
上記実施形態では、水平ロック手段として、スライドロック用突起５とロック用突起嵌合用凹部９とを設けているが、水平係止用つば１０の先端に鉤部を設け、該鉤部を係止用溝６に設けたロック用突起嵌合用凹部に嵌合するようにしてもよい。
【００６５】
上記実施形態では、筐体本体１及び電池カバー３を樹脂成型品としているが、金属製の一体成型品としてもよい。
【００６６】
上記実施形態では、携帯電話機２０の電池カバー３に適用した例を示しているが、他の各種電子機器の電池カバー３のロック構造として適用することができる。すなわち、電子機器は、モバイルツール、電子辞書、電卓、複写機等であってもよい。また、ＰＨＳ、ＰＤＡなどの携帯通信機器であってもよい。また、電池カバー３以外のカバーにも同様に適用することができる。
【００６７】
なお、以上の実施形態は、本質的に好ましい例示であって、本発明、その適用物や用途の範囲を制限することを意図するものではない。
【図面の簡単な説明】
【００６８】
【図１】本発明の実施形態にかかる携帯電話機の表面側を上側から見た斜視図である。
【図２】本発明の実施形態にかかる携帯電話機の裏面側を上側から見た斜視図である。
【図３】電池カバー裏面を上側から見た斜視図である。
【図４】筐体本体に配設されたガイド孔の拡大平面図である。
【図５】水平ロック機構を拡大して示す平面図である。
【図６】（ａ）は、電池カバーを筐体本体に完全に取り付けた場合の第１及び第２垂直ロック手段の関係を拡大して示す平面図であり、（ｂ）は、（ａ）のVIb−VIb線断面図である。
【図７】（ａ）は、電池カバー３をスライド取出方向に若干スライドさせた場合の第１及び第２垂直ロック手段の関係を拡大して示す平面図であり、（ｂ）は、（ａ）のVIIb−VIIb線断面図である。
【図８】従来技術にかかるロック構造を備えた携帯電話機を示す分解斜視図である。
【図９】従来技術にかかるロック構造を備えた携帯電話機の電池蓋を示す斜視図である。
【図１０】別の従来技術にかかるロック構造を備えた携帯電話機を示す分解斜視図である。
【符号の説明】
【００６９】
１      筐体本体
２      電池収納部（開口部）
３      電池カバー（電子機器カバー）
４      ガイド孔
５      スライドロック用突起（水平ロック手段）
６      係止用溝
７      垂直方向係止爪（第２垂直ロック手段）
８      鉤部（第１垂直ロック手段）
９      ロック用突起嵌合用凹部（水平ロック手段）
１１      外側突起（第１突起、第１垂直ロック手段）
１２      内側突起（第２突起、第２垂直ロック手段）
２０      携帯電話機（電子機器、携帯通信機器）
【図１】
2007335201.tif 000003
【図２】
2007335201.tif 000004
【図３】
2007335201.tif 000005
【図４】
2007335201.tif 000006
【図５】
2007335201.tif 000007
【図６】
2007335201.tif 000008
【図７】
2007335201.tif 000009
【図８】
2007335201.tif 000010
【図９】
2007335201.tif 000011
【図１０】
2007335201.tif 000012